(57)【特許請求の範囲】
【請求項１】
互いに独立して作動可能な、第１加熱手段を第１所定時間作動させるための第１タイマと第２加熱手段を第２所定時間作動させるための第２タイマと、該第１タイマの残時間と該第２タイマの残時間のいずれか一方を表示するタイマ残時間表示手段と、
該タイマ残時間表示手段に表示されている残時間が、前記第１タイマと前記第２タイマのいずれの残時間であるかを表示する選択タイマ表示手段と、
前記第１タイマと前記第２タイマが共に作動中であるときに、該第１タイマの残時間表示と該第２タイマの残時間表示のいずれか一方を選択するタイマ表示選択手段と、
該タイマ表示選択手段により選択されたタイマの残時間を前記タイマ残時間表示手段に表示させ、且つ、該タイマ残時間表示手段に表示されている残時間が、前記第１タイマと前記第２タイマのいずれの残時間であるかを、前記選択タイマ表示手段に表示させる表示制御手段とを備えたことを特徴とする加熱調理器。
【請求項２】
前記タイマ残時間表示手段に前記第１タイマの残時間が表示されているときは、該第１タイマの残時間を変更し、前記タイマ残時間表示手段に前記第２タイマの残時間が表示されているときには、該第２タイマの残時間を変更するためのタイマ残時間変更手段を備えたことを特徴とする請求項１記載の加熱調理器。
【請求項３】
前記選択タイマ表示手段は、前記第１タイマに対応した第１ランプと、前記第２タイマに対応した第２ランプとからなり、
前記表示制御手段は、前記タイマ残時間表示手段に前記第１タイマの残時間を表示させているときは、前記第２ランプを消灯して前記第１ランプを点灯し、前記タイマ残時間表示手段に前記第２タイマの残時間を表示させているときには、前記第１ランプを消灯して前記第２ランプを点灯することを特徴とする請求項１又は２記載の加熱調理器。
【請求項４】
前記表示制御手段は、前記第１タイマと前記第２タイマとが共に作動中であるときは、
前記タイマ残時間表示手段に前記第１タイマの残時間を表示させているときには、前記第２ランプを点滅させながら前記第１ランプを点灯し、前記タイマ残時間表示手段に前記第２タイマの残時間を表示しているときには、前記第１ランプを点滅させながら前記第２ランプを点灯することを特徴とする請求項３記載の加熱調理器。
【請求項５】
前記タイマ残時間表示手段は、電池により作動することを特徴とする請求項１から４のうちいずれか１項記載の加熱調理器。
【請求項６】
前記第１加熱手段はコンロであり、前記第２加熱手段はグリルであって、前記表示制御手段は、前記第１タイマと前記第２タイマとが共に作動中であるときは、前記タイマ表示選択手段により前記第１タイマが選択されてから第３所定時間が経過するまでの間のみ、前記第１タイマの残時間を前記タイマ残時間表示手段に表示させ、それ以外は、前記第２タイマの残時間を前記タイマ残時間表示手段に表示させることを特徴とする請求項１から５のうちいずれか１項記載の加熱調理器。
【発明の詳細な説明】
【０００１】
【発明の属する技術の分野】
本発明は、加熱手段を所定時間作動させて調理物を調理する、タイマ調理機能を備えた加熱調理器に関する。
【０００２】
【従来の技術】
従来、例えばガスコンロにおいて、使用者が作動時間を変更できるタイマを備え、該タイマの作動中にコンロバーナを燃焼させて調理物を加熱する、所謂タイマ調理機能を備えたものが知られている。このものにおいては、タイマの作動時間を変更するスイッチと、タイマ調理機能による調理（以下、タイマ調理という）の実行中に、使用者にタイマ調理の残時間を知らせるためにタイマの残時間を表示する表示部とが備えられている。
【０００３】
また、コンロの他にグリルを備えた複合タイプのガス加熱調理器においては、１個のタイマを切り替えて、コンロとグリルの双方に対して兼用させるようにしたものが知られている。このものによれば、使用者は、コンロだけでなくグリルを使用して調理を行うときでも、上述したタイマ調理を行うことができる。そして、このように１個のタイマをコンロとグリルに兼用するときには、タイマの作動時間を変更するスイッチとタイマの残時間を表示する表示部もそれぞれ１個設ければよい。
【０００４】
しかし、１個のタイマをコンロとグリルに兼用させる場合には、当然のことながら、コンロとグリルを同時に使用するときには、いずれか一方に対してしか、上述したタイマ調理を行うことができないという不便さがある。
【０００５】
そこで、コンロとグリルのそれぞれに対して専用のタイマを設け、コンロに対するタイマ調理と、グリルに対するタイマ調理とを同時に行うことができるようにすることが考えられる。
【０００６】
しかし、コンロとグリルに専用のタイマを設けた場合には、タイマ自体を別個に設ける必要がある他に、各タイマの設定時間を変更するスイッチと、各タイマの残時間を表示する表示部も別個に設ける必要がある。そのため、加熱調理器の部品コストが上昇するとともに、スイッチや表示部を取り付けるスペースも広くなってしまうという不都合があった。
【０００７】
【発明が解決しようとする課題】
本発明は、上記不都合を解消し、部品コストの上昇と部品取り付けスペースの拡大を抑制して、独立して作動可能な２個の調理用タイマを備えた加熱調理器を提供することを目的とする。
【０００８】
【課題を解決するための手段】
本発明は、上記目的を達成するため、互いに独立して作動可能な、第１加熱手段を第１所定時間作動させるための第１タイマと第２加熱手段を第２所定時間作動させるための第２タイマと、該第１タイマの残時間と該第２タイマの残時間のいずれか一方を表示するタイマ残時間表示手段と、該タイマ残時間表示手段に表示されている残時間が、前記第１タイマと前記第２タイマのいずれの残時間であるかを表示する選択タイマ表示手段と、前記第１タイマと前記第２タイマが共に作動中であるときに、該第１タイマの残時間表示と該第２タイマの残時間表示のいずれか一方を選択するタイマ表示選択手段と、該タイマ表示選択手段により選択されたタイマの残時間を前記タイマ残時間表示手段に表示させ、且つ、該タイマ残時間表示手段に表示されている残時間が、前記第１タイマと前記第２タイマのいずれの残時間であるかを、前記選択タイマ表示手段に表示させる表示制御手段とを備えたことを特徴とする。
【０００９】
かかる本発明によれば、前記第１タイマと前記第２タイマとが共に作動中であるときに、前記タイマ表示選択手段により、該第１タイマの残時間と該第２タイマの残時間とを切り替えて、前記タイマ残時間表示手段に表示することができる。そのため、前記第１タイマの残時間を表示する表示手段と、前記第２タイマの残時間を表示する表示手段とを専用に設ける必要がない。これにより、部品コストの上昇を抑制することができ、また、タイマの残時間を表示するスペースの拡大を抑制することができる。さらに、本発明によれば、前記選択タイマ表示手段により、前記タイマ残時間表示手段に、前記第１タイマと前記第２タイマのいずれの残時間が表示されているかが表示される。そのため、使用者が、前記第１タイマの残時間と前記第２タイマの残時間とを誤って認識することを防止することができる。
【００１０】
また、前記タイマ残時間表示手段に前記第１タイマの残時間が表示されているときは、該第１タイマの残時間を変更し、前記タイマ残時間表示手段に前記第２タイマの残時間が表示されているときには、該第２タイマの残時間を変更するためのタイマ残時間変更手段を備えたことを特徴とする。
【００１１】
かかる本発明によれば、前記タイマ残時間変更手段により、前記第１タイマの残時間と前記第２タイマの残時間とを変更することができる。そのため、前記第１タイマの残時間を変更するための手段と、前記第２タイマの残時間を変更するための手段とを別個に設ける必要がない。また、前記タイマ残時間表示手段の表示内容に応じて、変更可能なタイマが決定されるため、使用者の使い勝手がよい。
【００１２】
また、前記選択タイマ表示手段は、前記第１タイマに対応した第１ランプと、前記第２タイマに対応した第２ランプとからなり、前記表示制御手段は、前記タイマ残時間表示手段に前記第１タイマの残時間を表示させているときは、前記第２ランプを消灯して前記第１ランプを点灯し、前記タイマ残時間表示手段に前記第２タイマの残時間を表示させているときには、前記第１ランプを消灯して前記第２ランプを点灯することを特徴とする。
【００１３】
かかる本発明によれば、使用者は、前記第１ランプと前記第２ランプのいずれが点灯しているかを確認することで、前記タイマ残時間表示手段に表示されている時間が、前記第１タイマの残時間と前記第２タイマの残時間のうちのいずれであるかを容易に認識することができる。
【００１４】
また、前記表示制御手段は、前記第１タイマと前記第２タイマとが共に作動中であるときは、前記タイマ残時間表示手段に前記第１タイマの残時間を表示させているときには、前記第２ランプを点滅させながら前記第１ランプを点灯し、前記タイマ残時間表示手段に前記第２タイマの残時間を表示しているときには、前記第１ランプを点滅させながら前記第２ランプを点灯することを特徴とする。
【００１５】
かかる本発明によれば、使用者は、前記第１ランプ又は前記第２ランプの点滅を確認することで、前記第１タイマと前記第２タイマとが共に作動中であることを認識することができる。
【００１６】
また、前記タイマ残時間表示手段は、電池により作動することを特徴とする。
【００１７】
前記第１タイマの残時間と、前記第２タイマの残時間とを、電池により作動する表示手段に表示させる場合、該第１タイマの残時間を表示する表示手段と、該第２タイマの残時間を表示する表示手段とを別個に設けると、これらの表示手段による消費電力が多くなり、電池寿命が短くなってしまう。
【００１８】
かかる場合に、本発明によれば、前記第１タイマの残時間と前記第２タイマの残時間とを、１個の前記タイマ残時間表示手段に切替表示するので、消費電力を抑えて電池寿命を長くすることができる。
【００１９】
また、前記第１加熱手段はコンロであり、前記第２加熱手段はグリルであって、前記表示制御手段は、前記第１タイマと前記第２タイマとが共に作動中であるときは、前記タイマ表示選択手段により前記第１タイマが選択されてから第３所定時間が経過するまでの間のみ、前記第１タイマの残時間を前記タイマ残時間表示手段に表示させ、それ以外は、前記第２タイマの残時間を前記タイマ残時間表示手段に表示させることを特徴とする。
【００２０】
一般に、グリルは加熱調理器の内部に備えられているため、グリルが作動中であるか否かを確認するには、使用者はグリル内を覗き込まなければならない。一方、コンロは加熱調理器の上部に備えられているため、使用者は、コンロが作動中であるか否かを容易に認識することができる。
【００２１】
そこで、前記表示制御手段は、前記タイマ選択手段により前記第１タイマが選択されてから前記第３所定時間が経過するまでの間のみ、前記タイマ残時間表示手段に、前記第１タイマの残時間を表示させる。即ち、前記タイマ選択手段が操作されない限り、前記タイマ残時間表示手段には、前記グリルに対応した前記第２タイマの残時間が表示される。そして、このとき、前記選択タイマ表示手段には、前記タイマ残時間表示手段に表示されているのが、前記第２タイマの残時間であることが表示される。これにより、使用者は、前記選択タイマ表示手段の表示を確認することで、グリル内を覗き込むことなく、グリルが作動中であることを認識することができる。
【００２２】
【発明の実施の形態】
本発明の実施の形態の一例を、図１〜図９を参照して説明する。図１は本発明の加熱調理器であるガステーブルの外観図、図２は図１に示したガステーブルの制御ブロック図、図３は図１に示したガステーブルに備えられた操作パネルの外観図、図４は図１に示したガステーブルにおけるタイマ調理の制御ブロック図、図５〜図９はタイマ調理の処理フローチャートである。
【００２３】
図１を参照して、本発明の加熱調理器であるガステーブル１は、調理物の加熱手段として、上面に左コンロ２と右コンロ３（本発明の第１加熱手段に相当）を備え、内部にグリル４（本発明の第２加熱手段に相当）を備える。そして、ガステーブル１の内部に設けられたコントローラ５により、左コンロ２と右コンロ３とグリル４の作動が制御される。尚、グリル４への調理物の出し入れは、ガステーブル１の正面に設けられ、調理物が載置されるグリルパン（図示しない）と一体となった開閉扉６を引き出して行われ、グリル４で発生する煙が排気口７から排出される。
【００２４】
また、ガステーブル１の正面には、左コンロ２の点火／消火ボタン８と火力調節レバー９、右コンロ３の点火／消火ボタン１０と火力調節レバー１１、及びグリル４の点火／消火ボタン１２と火力調節レバー１３が設けられている。
【００２５】
点火・消火ボタン８，１０，１２は、いずれもハートカムによるプッシュ・プッシュ機構により作動する。即ち、点火・消火ボタン８，１０，１２は、それぞれ図示しないスプリングによりガステーブル１の奥部から前部に向かって付勢されており、突出位置（消火位置）から押圧されると押込み位置（点火位置）に達し、この状態で押圧を解除すると中間位置（燃焼位置）に保持され、該中間位置で再度押圧されて該押圧が解除されると元の突出位置（消火位置）に復帰するようになっている。
【００２６】
さらに、ガステーブル１の正面には、右コンロ３及びグリル４に対する作動指示を行うための操作パネル１４が設けられ、また、右コンロ３には、調理物の温度を検出してコントローラ５に出力する温度センサ１５が設けられている。
【００２７】
次に、図２を参照して、コントローラ５は、ＣＰＵ，ＲＯＭ，ＲＡＭ等により構成される電子ユニットであり、左コンロ制御手段２０、右コンロ制御手段２１、グリル制御手段２２、及びタイマ制御手段２３を備える。
【００２８】
コントローラ５は、電池２５を電源として作動し、点火／消火ボタン８，１０，１２の少なくともいずれか一つが前記押込み位置（点火位置）又は前記中間位置（燃焼位置）にあるときに閉成し、点火／消火ボタン８，１０，１２の全てが前記突出位置（消火位置）にあるときに開成するマイクロスイッチ（図示しない）を介して、電池２５と接続される。
【００２９】
そのため、コントローラ５は、使用者が点火／消火ボタン８，１０，１２を点火操作したときに作動を開始し、使用者が点火／消火ボタン８，１０，１２を消火操作したときに作動を停止する。尚、各点火／消火ボタン８，１０，１２のそれぞれには、各点火／消火ボタンの位置（突出位置、中間位置、押込み位置）に応じて開閉する位置検出スイッチ（図示しない）が設けられ、該位置検出スイッチの出力により、コントローラ５は、各点火／消火ボタン８，１０，１２の位置を認識する。
【００３０】
イグナイタ２７は、点火／消火ボタン８，１０，１２のいずれかが前記押込み位置（点火位置）にあるときに、左コンロ点火電極２８，右コンロ点火電極３３，及びグリル点火電極３７に高電圧を印加して火花放電を生じさせる。
【００３１】
左コンロ制御手段２０は、左コンロバーナ２９の燃焼制御を行うものである。使用者が点火／消火ボタン８を点火操作（押し操作）すると、図示しないバネの付勢力に抗して左コンロ電磁弁２６が開弁し、左コンロバーナ２９への燃料ガスの供給が開始される。左コンロ制御手段２０は、前記位置検出スイッチの出力から、点火／消火ボタン８が点火操作されたことを認識すると、左コンロ電磁弁２６に通電して左コンロ電磁弁２６を開弁保持する。このとき、上述したように、左コンロ点火電極２８には火花放電が生じているため、左コンロバーナ２９に点火処理がなされる。
【００３２】
左コンロ制御手段２０は、左コンロ熱電対３０の出力から、左コンロ２９に点火されたことを検出したときは、左コンロ２６への通電を保持して左コンロバーナ２９の燃焼を継続する。一方、左コンロ２９に点火されたことを検出しなかったときには、左コンロ制御手段２０は左コンロ電磁弁２６への通電を遮断して左コンロ電磁弁２６を閉弁し、左コンロバーナ２９への燃料ガスの供給を停止する。
【００３３】
また、左コンロ制御手段２０は、左コンロバーナ２９の燃焼中は常時左コンロ熱電対３０の出力から、左コンロバーナ２９の失火の有無を監視し、左コンロバーナ２９の失火を検出したときには、左コンロ電磁弁２６への通電を遮断して左コンロ電磁弁２６を閉弁し、左コンロバーナ２９への燃料ガスの供給を停止する。
【００３４】
右コンロ制御手段２１は、右コンロバーナ３４の燃焼制御を行うものであり、上述した左コンロ制御手段２０と同様に、点火／消火ボタン１０の点火操作に応じて右コンロバーナ３４の点火処理を行い、右コンロ熱電対３５の出力により、右コンロバーナ３４の失火の有無を監視する。
【００３５】
グリル制御手段２２は、グリルバーナ３８の燃焼制御を行うものであり、上述した左コンロ制御手段２０と同様に、点火／消火ボタン１２の点火操作に応じてグリルバーナ３８の点火処理を行い、グリル熱電対３９の出力により、グリルバーナ３８の失火の有無を監視する。
【００３６】
タイマ制御手段２３は、右コンロ制御手段２１に対して、右コンロバーナ３４を第１所定時間燃焼させるタイマ調理の指示を行い、また、グリル制御手段２２に対して、グリルバーナ３８を第２所定時間燃焼させるタイマ調理の指示を行う。タイマ表示手段２３に備えられた表示制御手段２４は、操作パネル１４に設けられたスイッチの操作に応じて、操作パネル１４に設けられた表示部の表示内容を変更する。
【００３７】
次に、図３を参照して、操作パネル１４は、右コンロ３による調理モードを選択指示するための揚げ物スイッチ５０、炊飯スイッチ５１、及び湯沸かしスイッチ５２を備える。上述した右コンロバーナ３４の点火処理後に、使用者がこれらのスイッチを操作することで、右コンロ制御手段２１により、以下の各調理モードに応じた右コンロバーナ３４の燃焼制御が実行される。
【００３８】
使用者が揚げ物スイッチ５０を操作すると、揚げ物調理モードとなり、右コンロ制御手段２１は、初期設定として１８０℃を揚げ物目標温度とし、該揚げ物目標温度に応じた１８０℃ＬＥＤ５６を点灯する。そして、図２を参照して、右コンロ制御手段２１は、温度センサ１５により検出される調理物Ａの温度が、揚げ物目標温度である１８０℃に保たれるように、右コンロバイパス電磁弁３２を開閉して右コンロバーナ３４の燃焼量を調節する揚げ物調理制御を実行する。
【００３９】
この揚げ物調理モードは、てんぷら調理等を行うときに便利なものであり、例えば、油の中に材料が入れられて油温が下がったときは、右コンロ制御手段２１は、右コンロバイパス電磁弁３２を開弁して右コンロバーナ３４の燃焼量を増加させ、材料が油中から引き上げられて油温が上昇したときには、右コンロバイパス電磁弁３２を閉弁して右コンロバーナ３４の燃焼量を減少させる制御を行う。
【００４０】
揚げ物調理モードにおいては、使用者が揚げ物スイッチ５０を操作するごとに、揚げ物目標温度が１８０℃，１６０℃，及び２００℃に切り替わり、右コンロ制御手段２１は、切り替わった揚げ物目標温度に対応する、１８０℃ＬＥＤ５６，１６０℃ＬＥＤ５７，２００℃ＬＥＤ５８のいずれかを点灯する。
【００４１】
使用者が炊飯スイッチ５１を操作すると、炊飯調理モードとなり、炊飯調理モードの初期設定として標準炊飯が選択され、標準炊飯ＬＥＤ５９が点灯する。炊飯調理モードにおいては、図２を参照して、右コンロ制御手段２１は、温度センサ１５により検出される調理物Ａ（この場合は米と水）の温度が、所定の炊飯制御シーケンスと一致するように、右コンロバイパス電磁弁３２を開閉制御して右コンロバーナ３４の燃焼量を調節する炊飯調理制御を実行する。
【００４２】
炊飯調理モードにおいては、使用者が炊飯スイッチ５１を操作するごとに、炊飯調理モードの設定が、標準炊飯，洗米すぐ炊飯，おかゆ炊飯に順次切り替わる。右コンロ制御手段２１は、切り替わった炊飯調理モードの設定に対応する、標準炊飯ＬＥＤ５９，洗米すぐＬＥＤ６０，おかゆＬＥＤ６１のいずれかを点灯する。
【００４３】
使用者が、湯沸かしスイッチ５２を操作すると、湯沸かし調理モードとなり、湯沸かし調理モードの初期設定として、沸騰時消火設定が選択されて消火ＬＥＤ６２が点灯する。湯沸かし調理モードにおいては、図２を参照して、右コンロ制御手段２１は、温度センサ１５の検出温度から調理物Ａの沸騰を検知するまで右コンロバーナ３４の燃焼を継続して調理物Ａを加熱し、沸騰検知後に右コンロ電磁弁３１を閉弁して右コンロバーナ３４の燃焼を停止する湯沸かし調理制御を実行する。
【００４４】
湯沸かし調理モードにおいては、使用者が湯沸かしスイッチ５２を操作するごとに、湯沸かしモードの設定が、沸騰検知時に直ちに右コンロバーナ３４の燃焼を停止する沸騰時消火設定、沸騰検知後３分間、右コンロバイパス電磁弁３２を閉弁して小火として調理物Ａを保温する３分間保温設定，沸騰検知後１０分間、右コンロバイパス電磁弁３２を閉弁して調理物Ａを保温する１０分間保温制御に順次切り替わる。そして、右コンロ制御手段２１は、切り替わった各湯沸かし調理モードの設定に応じて、消火ＬＥＤ６２，３分保温ＬＥＤ６３，１０分保温ＬＥＤ６４のいずれかを点灯する。
【００４５】
尚、使用者が取り消しスイッチ５６を操作したときに、右コンロ制御手段２１は、上述した揚げ物調理モード、炊飯調理モード、及び湯沸かしモードの実行を中止する。
【００４６】
次に、図４〜図９を参照して、タイマ制御手段２３による、右コンロ３とグリルコンロ４とに対するタイマ調理について説明する。
【００４７】
図４は、タイマ調理の制御ブロック図である。図４を参照して、タイマ制御手段２３は、独立して作動可能なコンロ用タイマ８０（本発明の第１タイマに相当）と、グリル用タイマ８１（本発明の第２タイマに相当）、上述した表示制御手段２４、及びタイマ残時間変更手段８２を備える。
【００４８】
タイマ制御手段２３は、コンロ用タイマ８０により右コンロ制御手段２１に対してタイマ調理の制御指示を行い、グリル用タイマ８１によりグリル制御手段２２に対してタイマ調理の作動指示を行う。また、タイマ残時間変更手段８２は、操作パネル１４に設けられた＋ｋｅｙスイッチ５４と−ｋｅｙスイッチ５５の操作に応じて、コンロ用タイマ８０とグリル用タイマ８１の残時間を変更する。
【００４９】
図５，図６は、タイマ制御手段２３による、グリル４のタイマ調理制御の処理フローであり、図７〜図９は、右コンロ５のタイマ調理制御の処理フローチャートである。タイマ制御手段２３は、使用者がグリル４の点火／消火ボタン１４（図１，図２参照）を点火操作してグリル４に対する点火処理がなされたときに、図５，図６の処理フローを実行し、使用者が右コンロ３の点火／消火ボタン１０（図１参照）を点火操作して右コンロ３に対する点火処理がなされたときに、図７〜図９の処理フローを実行する。
【００５０】
先ず、図５，図６を参照して、グリル４に対する点火処理がなされたときの、タイマ制御手段２３によるグリル４のタイマ調理制御について説明する。
【００５１】
タイマ制御手段２３は、図２を参照して、グリル制御手段２２からの指示により、グリルバーナ３８に点火がなされたことを認識すると、図５のＳＴＥＰ１からＳＴＥＰ２に進んでグリル用タイマ８１（図中、ＧＴＭと表示）の残時間（タイマ調理時間）として８分を初期設定し、ＳＴＥＰ３でグリル用タイマ８１のカウントダウンを開始する。この８分という残時間は、グリル４による調理における標準的は調理時間であり、このような標準的な調理時間を予めグリル用タイマ８１の初期残時間とすることで、使用者のタイマ調理時間設定の便宜を図っている。
【００５２】
続くＳＴＥＰ４、ＳＴＥＰ５は、表示制御手段２４による処理である。表示制御手段２４は、ＳＴＥＰ４で操作パネル１４のグリルＬＥＤ６８（本発明の第２ランプに相当）を点灯し、ＳＴＥＰ５でタイマ残時間表示器６９にグリル用タイマ８１の残時間を表示する。これにより、図３を参照して、グリルＬＥＤ６８が点灯すると共に、タイマ残時間表示器６９にグリル用タイマ８１の残時間が表示される。
【００５３】
ここで、タイマ残時間表示器６９には、グリル用タイマ８１の残時間だけでなく、後述する図７〜図９の右コンロのタイマ調理制御により、コンロ用タイマ８０の残時間も表示される。即ち、グリル用タイマ８１の残時間とコンロ用タイマ８０の残時間とが、タイマ残時間表示器６９に選択的に表示される。
【００５４】
このように、１個のタイマ残時間表示器６９に、コンロ用タイマ８０の残時間とグリル用タイマ８１の残時間とを選択的に表示させることで、これら２個のタイマのそれぞれに専用のタイマ残時間表示器６９を設けた場合に比べて、電池２５の消費を抑制することができる。また、部品コストの上昇や操作パネル１４のサイズの大型化も抑制することができる。
【００５５】
しかし、このように、コンロ用タイマの残時間とグリル用タイマの残時間を選択的に表示させる場合には、使用者は、タイマ残時間表示器６９の表示をみただけでは、タイマ残時間表示器６９に表示されているのがグリル用タイマ８１の残時間であるか、或いは右コンロ用タイマの残時間であるかを認識することができない。
【００５６】
そこで、ＳＴＥＰ４，ＳＴＥＰ５に示したように、表示制御手段２４は、グリル用タイマの残時間をタイマ残時間表示器６９に表示するときは、操作パネル１４に設けられたグリルＬＥＤ６８を同時に点灯させるようにしている。これにより、図３を参照して、使用者は、グリルＬＥＤ６８の点灯を確認することで、タイマ残時間表示機６９に表示されているのがグリル用タイマ８１の残時間であることを認識することができる。尚、グリルＬＥＤ６８（本発明の第２ランプに相当）と、右コンロＬＥＤ６７（本発明の第１ランプに相当）とにより、本発明の選択タイマ表示手段が構成される。
【００５７】
続くＳＴＥＰ６〜ＳＴＥＰ８及びＳＴＥＰ２０〜ＳＴＥＰ２２は、タイマ残時間変更手段８２による処理である。タイマ残時間変更手段８２は、ＳＴＥＰ６で、使用者により＋ｋｅｙスイッチ５４（図３，図４参照）が操作されたことを検知すると、ＳＴＥＰ７に進み、ＳＴＥＰ７で１５分を上限としてＳＴＥＰ８でグリル用タイマ８１の残時間を１分単位で増加させる。また、ＳＴＥＰ６で、＋ｋｅｙスイッチ５４が操作されたことを検知しなかったときには、ＳＴＥＰ２０に分岐し、ＳＴＥＰ２０で−ｋｅｙスイッチ５５が操作されたことを検知したときは、タイマ残時間変更手段８２は、ＳＴＥＰ２１で１分を下限としてＳＴＥＰ２２でグリル用タイマ８１の残時間を１分単位で減少させる。
【００５８】
ＳＴＥＰ９〜ＳＴＥＰ１２は、表示制御手段２４による処理である。表示制御手段２４は、ＳＴＥＰ９で、コンロ割込フラグＫＩＮＴがセット（＝１）されているか否かを判断する。このコンロ割込フラグＫＩＮＴは、後述する図７〜図９の右コンロ３のタイマ調理制御において、タイマ残時間表示器６９にコンロ用タイマ８０の残時間を表示させるときにセットされるものである。
【００５９】
そのため、表示制御手段２４は、ＳＴＥＰ９でコンロ割込フラグＫＩＮＴがセット（＝１）されていたときは、ＳＴＥＰ１０に進んでグリルＬＥＤ６８を点滅させ、ＳＴＥＰ１１でグリル用タイマ８１の残時間表示を停止する。これにより、図３を参照して、タイマ残時間表示器６９には、コンロ用タイマ８０の残時間が表示されると共に、右コンロＬＥＤ６７が点灯し、グリルＬＥＤ６８が点滅した状態となる。
【００６０】
このとき、使用者は、右コンロＬＥＤ６７の点灯により、タイマ残時間表示器６９に表示されているのがコンロ用タイマ８０の残時間であることを認識することができ、且つ、グリルＬＥＤ６８の点滅により、グリル用タイマ８１も継続して作動中であることを認識することができる。
【００６１】
また、ＳＴＥＰ９で、コンロ割込フラグＫＩＮＴがリセット（＝０）されているときは、ＳＴＥＰ９〜ＳＴＥＰ１２のループが繰り返し実行されるので、タイマ残時間変更手段８２によるＳＴＥＰ６〜ＳＴＥＰ８の処理は実行されない。即ち、タイマ残時間表示器６９にコンロ用タイマ８０の残時間が表示されているときは、グリル用タイマ８１の残時間を変更することはできない。
【００６２】
一方、ＳＴＥＰ９でコンロ割込フラグがリセット（＝０）されていたときには、ＳＴＥＰ３０に分岐して、表示制御手段２４は、グリル用タイマ８１の残時間をタイマ残時間表示器６９に継続して継続する。そして、ＳＴＥＰ１２又はＳＴＥＰ３０でグリル用タイマ８１がタイムアップ（ＧＴＭ＝０分）したときに、ＳＴＥＰ１３に進んで、タイマ制御手段２３は、グリル制御手段２２を介してグリル電磁弁３６を閉弁し、グリルバーナ３８の燃焼を停止する（図２，図３参照）。
【００６３】
続いて、タイマ制御手段２３は、ＳＴＥＰ１４でグリルＬＥＤ６８を消灯し、ＳＴＥＰ１５でコンロ割込フラグがセット（＝１）されていたときはＳＴＥＰ１６でグリル用タイマ８１の残時間表示を停止し、ＳＴＥＰ１７でブザー（図示しない）を鳴動させて使用者にグリル４のタイマ調理が終了したことを知らせて、グリル４のタイマ調理制御を終了する。
【００６４】
次に、図７〜図９を参照して、右コンロ３に対する点火処理がなされたときの、タイマ制御手段２３による右コンロ３のタイマ調理制御について説明する。
【００６５】
図２を参照して、タイマ制御手段２３は、右コンロ制御手段２１からの指示により、右コンロバーナ３４に点火がなされたことを認識すると、図７のＳＴＥＰ４０からＳＴＥＰ４１に進んで上述したコンロ割込フラグＫＩＮＴをリセット（＝０）し、ＳＴＥＰ４２でコンロ用タイマ８０（図中、ＫＴＭと表示）の残時間を０分とし、ＳＴＥＰ４３で調理モードフラグＫＭＦをリセット（＝０）し、ＳＴＥＰ４４で残時間フラグＫＳＦをリセット（＝０）する。
【００６６】
ここで、右コンロ３のタイマ調理モードは、コンロ用タイマ８０がタイムアップしたときに、右コンロバーナ３４の燃焼を停止してブザーを鳴動させる消火モードと、コンロ用タイマ８０がタイムアップしたときに、右コンロバーナ３４の燃焼を継続してブザーの鳴動のみを行うお知らせモードの２種類のモードからなる。調理モードフラグＫＭＦは、右コンロ３のタイマ調理モードの設定状態を保持するためのものであり、右コンロ３のタイマ調理モードがお知らせモードであるときにセット（＝１）され、お知らせモードであるときにリセット（＝０）される。
【００６７】
また、残時間フラグＫＳＦは、コンロ用タイマ８０に残時間（タイマ調理時間）が設定されたときにセット（＝１）され、コンロ用タイマ８０に残時間が設定されていないときにリセット（＝０）される。
【００６８】
ＳＴＥＰ４５で、使用者により右コンロスイッチ５３が操作されたことを検知すると、タイマ制御手段２３は、ＳＴＥＰ４６で１５秒タイマを起動し、タイマ調理モードの初期設定を消火モードとして、ＳＴＥＰ４７で操作パネル１４の消火ＬＥＤ６５を点灯させる。
【００６９】
続くＳＴＥＰ４８〜ＳＴＥＰ５０とＳＴＥＰ７０は、表示制御手段２４による処理である。表示制御手段２４は、ＳＴＥＰ４８でグリル用タイマ８１が作動中でなかったとき、即ち、コンロ用タイマ８０が単独で作動しているときは、ＳＴＥＰ４９に進んで右コンロＬＥＤ６７を点灯し、ＳＴＥＰ５０でタイマ残時間表示器６９にコンロ用タイマ８０の残時間を表示する。
【００７０】
これにより、図３を参照して、コンロ用タイマ８０の残時間がタイマ残時間表示器６９に表示されると共に、右コンロＬＥＤ６７が点灯した状態となる。そのため、使用者は、右コンロＬＥＤの点灯を確認することで、タイマ残時間表示器６９に表示されているのがコンロ用タイマ８０の残時間であることを認識することができる。
【００７１】
一方、ＳＴＥＰ４８でグリルタイマ８１が作動中であったときには、ＳＴＥＰ７０に分岐して、表示制御手段２４は、ＳＴＥＰ７０でコンロ割込フラグＫＩＮＴをセット（＝１）する。このコンロ割込フラグＫＩＮＴのセットに応じて、上述した図５〜図６のグリル４のタイマ調理制御において、図６のＳＴＥＰ１０とＳＴＥＰ１１の処理が実行され、グリルＬＥＤ６８が点滅されると共に、タイマ残時間表示器６９へのグリル用タイマ８１の表示が停止される。
【００７２】
この状態で、表示制御手段２４は、ＳＴＥＰ４９で右コンロＬＥＤ６７を点灯し、ＳＴＥＰ５０でタイマ残時間表示手段６９にコンロ用タイマ８０の残時間を表示させる。これにより、図３を参照して、右コンロＬＥＤ６７が点灯し、グリルＬＥＤ６８が点滅し、タイマ残時間表示器６９にコンロ用タイマ８０の残時間が表示された状態となる。
【００７３】
この場合、使用者は、右コンロＬＥＤ６７の点灯を確認することで、タイマ残時間表示器６９に表示されているのがコンロ用タイマ８０の残時間であることを認識することができると共に、グリルＬＥＤ６８の点滅を確認することで、グリル用タイマ８１も作動中であることを認識することができる。
【００７４】
続くＳＴＥＰ５１〜ＳＴＥＰ５３及びＳＴＥＰ７１〜ＳＴＥＰ７３は、タイマ残時間変更手段８２による処理である。タイマ残時間変更手段８２は、ＳＴＥＰ５１で、＋ｋｅｙスイッチ５４が操作されたことを検知するとＳＴＥＰ５２に進み、ＳＴＥＰ５２で９９分を上限として、ＳＴＥＰ５３でコンロ用タイマ８０の残時間を１分単位で増加させる。
【００７５】
また、ＳＴＥＰ５１で＋ｋｅｙスイッチ５４が操作されたことを検知しなかったときはＳＴＥＰ７１に分岐し、ＳＴＥＰ７１で−ｋｅｙスイッチ５５が操作されたことを検知すると、タイマ残時間変更手段８２は、ＳＴＥＰ７２で１分を下限として、ＳＴＥＰ７３でコンロ用タイマ８０の残時間を１分単位で減少させる。
【００７６】
そして、ＳＴＥＰ５５でコンロ用タイマ８０に残時間が設定（ＫＴＭ≠０分）される前に、ＳＴＥＰ８０で、ＳＴＥＰ４６で起動した１５秒タイマがタイムアップしたとき、即ち、ＳＴＥＰ４５で右コンロスイッチ５３が操作されてから１５秒が経過するまでに、コンロ用タイマ８０の残時間が設定されなかったときは、タイマ制御手段２３は、操作エラーと判断してＳＴＥＰ８０からＳＴＥＰ８１に進み、図２を参照して、右コンロ制御手段２１を介して右コンロ電磁弁３１を閉弁して右コンロバーナ３４の燃焼を停止させる。
【００７７】
一方、ＳＴＥＰ８０で１５秒タイマがタイムアップする前に、コンロ用タイマ８０に残時間がセットされたときには、ＳＴＥＰ５５からＳＴＥＰ５６に進んで、タイマ制御手段２３は、コンロ残時間フラグＫＴＳをセット（＝１）する。このコンロ残時間フラグＫＴＳのセットにより、以後、上述したＳＴＥＰ５５，ＳＴＥＰ８０及びＳＴＥＰ８１の操作エラー処理が禁止される。
【００７８】
タイマ制御手段２３は、続くＳＴＥＰ５７からＳＴＥＰ５８に進んでコンロ用タイマ８０を起動する。そして、ＳＴＥＰ５９でグリル用タイマ８１が作動中でなかったときは、ＳＴＥＰ９０に分岐し、ＳＴＥＰ９０でコンロ用タイマ８０がタイムアップするまで、ＳＴＥＰ９０からＳＴＥＰ１１０に分岐し、ＳＴＥＰ１１０で右コンロスイッチ５３の操作が認識されなければ、ＳＴＥＰ１１０からＳＴＥＰ４９に戻り、ＳＴＥＰ４９以降の処理を繰り返し実行する。
【００７９】
タイマ制御手段２３は、ＳＴＥＰ１１０で右コンロスイッチ５３が操作されたことを検知すると、ＳＴＥＰ１１１に進む。ＳＴＥＰ１１１〜ＳＴＥＰ１１４及びＳＴＥＰ１２０〜ＳＴＥＰ１２２は、右コンロ４のタイマ調理モードの変更処理である。
【００８０】
タイマ制御手段２３は、ＳＴＥＰ１１１で調理モードフラグＫＭＦがセット（＝１）されていたとき、即ち、右コンロ３のタイマ調理モードがお知らせモードであったときは、ＳＴＥＰ１２０に分岐し、ＳＴＥＰ１２０で調理モードフラグＫＭＦをリセット（＝０）する。そして、タイマ制御手段２３は、ＳＴＥＰ１２１でお知らせＬＥＤ６６を消灯し、ＳＴＥＰ１２２で消火ＬＥＤ６５を点灯して、使用者にタイマ調理モードがお知らせモードから消火モードに切り替わったことを知らせる。
【００８１】
一方、ＳＴＥＰ１１１で調理モードフラグＫＭＦがリセット（＝０）されていたとき、即ち、右コンロ３の調理モードが消火モードであったときには、ＳＴＥＰ１１２に進み、タイマ制御手段２３は、ＳＴＥＰ１１２で調理モードフラグＫＭＦをセット（＝１）する。そして、タイマ制御手段２３は、ＳＴＥＰ１１３で消火ＬＥＤ６５を消灯し、ＳＴＥＰ１１４でお知らせＬＥＤ６６を点灯して、使用者にタイマ調理モードが消火モードからお知らせモードに切り替わったことを知らせる。
【００８２】
ＳＴＥＰ１１５〜ＳＴＥＰ１１７は、表示制御手段２４による処理である。表示制御手段２４は、ＳＴＥＰ１１５でグリル用タイマ８１が作動中であったときは、ＳＴＥＰ１１６に進んで１５秒タイマを起動する。また、既に１５秒タイマが作動中であったときは再起動する。そして、ＳＴＥＰ１１７でコンロ割込フラグＫＩＮＴをセット（＝１）する。
【００８３】
次に、図８のＳＴＥＰ５９でグリル用タイマ８１が作動中であるとき、即ち、グリル用タイマ８１とコンロ用タイマ８０とが共に作動中であるときは、ＳＴＥＰ６０で１５秒タイマが作動中である場合を除き、ＳＴＥＰ６４で右コンロスイッチ５３が操作されたことが検知されるか、ＳＴＥＰ６５でコンロ用タイマ８０がタイムアップ（ＫＴＭ＝０分）するまで、ＳＴＥＰ５９〜ＳＴＥＰ６５のループが繰り返し実行される。
【００８４】
このとき、表示制御手段２４は、ＳＴＥＰ６１でタイマ残時間表示器６９へのコンロ用タイマ８０残時間表示を停止し、ＳＴＥＰ６２でコンロ割込フラグＫＩＮＴをリセット（＝０）し、ＳＴＥＰ６３で右コンロＬＥＤ６７を点滅させる。そして、コンロ割込フラグＫＩＮＴがリセットされているときには、上述した図５〜図６のグリル４のタイマ調理制御の、図５のＳＴＥＰ４でグリルＬＥＤ６８が点灯され、ＳＴＥＰ５でタイマ残時間表示器６９に、グリル用タイマの残時間が表示される。
【００８５】
即ち、表示制御手段２４は、コンロ用タイマ８０とグリル用タイマ８１が共に作動中であるときは、ＳＴＥＰ４５又はＳＴＥＰ１１０で右コンロスイッチ５３（本発明のタイマ残時間変更手段に相当）が操作されたことを検知してから１５秒間だけ、タイマ残時間表示器６９にコンロ用タイマ８０の残時間を表示し、それ以外はタイマ残時間表示機６９にグリル用タイマ８１の残時間を表示する。
【００８６】
ここで、図１を参照して、右コンロ３はガステーブル１の上面に配置されているため、使用者は、右コンロ３のバーナが燃焼中であることを容易に確認することができる。それに対して、グリル４は、ガステーブル１の内部に配置されているため、使用者は、グリル４内を覗き込まなければ、グリル４のバーナが燃焼中であるか否かを確認することができない。
そこで、上述したように、表示制御手段２４は、右コンロスイッチ５３が操作されてから１５秒間（本発明の第３所定時間に相当）だけ、タイマ残時間表示器６９にコンロ用タイマ８０の残時間を表示し、それ以外はグリル用タイマ８１の残時間を表示させる。これにより、使用者は、操作パネル１４のグリルＬＥＤ６８が点灯していることを確認することで、グリル４内をわざわざ覗き込むことなく、グリル４のバーナが燃焼中であることを認識することができる。
【００８７】
また、ＳＴＥＰ５９〜ＳＴＥＰ６５のルーチンが実行されているときは、上述したＳＴＥＰ５１〜ＳＴＥＰ５３及びＳＴＥＰ７１〜ＳＴＥＰ７３の、タイマ残時間変更手段８２による処理は実行されないため、コンロ用タイマ８０の残時間は変更されない。このとき、上述した図５〜図６のグリル４のタイマ調理制御においては、ＳＴＥＰ６〜ＳＴＥＰ８及びＳＴＥＰ２０〜ＳＴＥＰ２２の、タイマ残時間変更手段８２によるグリル用タイマ８１の残時間の変更処理が実行されている。
【００８８】
即ち、タイマ残時間変更手段８２は、残時間表示器６９にコンロ用タイマ８０の残時間が表示されているときは、＋ｋｅｙスイッチ５４又は−ｋｅｙスイッチ５５の操作に応じてコンロ用タイマ８０の残時間を変更し、残時間表示器６９にグリル用タイマ８１の残時間が表示されているときには、＋ｋｅｙスイッチ５４又は−ｋｅｙスイッチ５５の操作に応じてグリル用タイマ８１の残時間を変更する処理を行う。
【００８９】
このタイマ残時間変更手段８２の処理により、操作パネル１４に設けられた一組の＋ｋｅｙスイッチ５４と−ｋｅｙスイッチ５５により、コンロ用タイマ８０とグリル用タイマ８１という２個のタイマの残時間を選択的に変更することができる。
【００９０】
そして、タイマ制御手段２３は、図８のＳＴＥＰ６５、又はＳＴＥＰ９０でコンロ用タイマ８０がタイムアップ（ＫＴＭ＝０）したときに、ＳＴＥＰ９１に進み、コンロ残時間フラグＫＳＦをリセット（＝０）し、ＳＴＥＰ９２以降のタイマ調理の終了処理を行う。
【００９１】
ＳＴＥＰ９２で、調理モードフラグＫＭＦがリセットされていたとき、即ち、コンロ３のタイマ調理モードが消火モードであったときは、ＳＴＥＰ９３に進み、タイマ制御手段２３は、ＳＴＥＰ９３で右コンロ制御手段２１を介して右電磁弁３１を閉弁し、右コンロバーナ３４の燃焼を停止する。そして、続くＳＴＥＰ９４で右コンロＬＥＤ６７を消灯し、ＳＴＥＰ９５でタイマ残時間表示器６９へのコンロ用タイマ８０の残時間表示を停止し、ＳＴＥＰ９６でコンロ割込フラグＫＩＮＴをリセット（＝０）し、ＳＴＥＰ９７でブザーの鳴動によりタイマ調理の終了を使用者に知らせて、タイマ調理制御を終了する。
【００９２】
一方、ＳＴＥＰ９２で、調理モードフラグＫＭＦがセットされていたとき、即ち、コンロ３のタイマ調理モードがお知らせモードであったときは、ＳＴＥＰ１００に分岐し、タイマ制御手段２３は、ＳＴＥＰ１００で右コンロＬＥＤ６７を消灯し、ＳＴＥＰ１０１でタイマ残時間表示器６９へのコンロ用タイマ８０の残時間表示を停止し、ＳＴＥＰ１０２でコンロ割込フラグＫＩＮＴをリセット（＝０）し、ＳＴＥＰ１０３でブザーの鳴動によりタイマ調理の終了を使用者に知らせて、タイマ調理制御を終了する。
【００９３】
尚、ＳＴＥＰ１０４〜ＳＴＥＰ１０５は、右コンロ制御手段２１による、使用者の右コンロ３の消し忘れに対する処理である。図２を参照して、右コンロ制御手段２１は、タイマ調理の終了後、ＳＴＥＰ１０５で１時間が経過するまでに、ＳＴＥＰ１０４で点火／消火スイッチ１０の消火操作を確認しなかったときには、使用者が右コンロ３を消火することを忘れていると判断してＳＴＥＰ１０６に進み、右コンロ電磁弁３１を閉弁して右コンロバーナ３４の燃焼を停止する。
【００９４】
なお、本実施の形態においては、グリルＬＥＤ６８と右コンロＬＥＤ６７という２個のＬＥＤにより、本発明の選択タイマ表示手段を構成したが、これを１個の２色発光ＬＥＤを用いて構成し、グリル用タイマ８１の残時間を表示するときと、コンロ用タイマ８０の残時間を表示するときとで、該２色発光ＬＥＤの発光色を変えるようにしてもよい。この場合には、コンロ用タイマ８０とグリル用タイマ８１が共に作動中であるときは、該２色発光ＬＥＤを点滅させるようにしてもよい。
【００９５】
また、本実施の形態では、加熱手段としてガスバーナを用いた加熱調理器を示したが、他の種類の加熱手段、例えば電気ヒータを用いた加熱調理器に対しても本発明の適用が可能である。
【図面の簡単な説明】
【図１】本発明の加熱調理器であるガステーブルの外観図。
【図２】図１に示したガステーブルの制御ブロック図。
【図３】図１に示したガステーブルに備えられた操作パネルの外観図。
【図４】タイマ調理の制御ブロック図。
【図５】グリルによるタイマ調理のフローチャート。
【図６】グリルによるタイマ調理のフローチャート。
【図７】右コンロによるタイマ調理のフローチャート。
【図８】右コンロによるタイマ調理のフローチャート。
【図９】右コンロによるタイマ調理のフローチャート。
【符号の説明】
１…ガステーブル、２…左コンロ、３…右コンロ、４…グリル、５…コントローラ、６…開閉扉、７…排気口、８，１０，１２…点火／消火ボタン、９，１１，１３…火力調節レバー、１４…操作パネル、１５…温度センサ、２０…左コンロ制御手段、２１…右コンロ制御手段、２２…グリル制御手段、２３…タイマ制御手段、２４…表示制御手段、２５…電池、２６…左コンロ電磁弁、２７…イグナイタ、２８，３３，３７…点火電極、３０，３５，３９…熱電対、２９…左コンロバーナ、３１…右コンロ電磁弁、３２…右コンロバイパス電磁弁、３４…右コンロバーナ、３６…グリル電磁弁、３８…グリルバーナ、８０…コンロ用タイマ、８１…グリル用タイマ、８２…タイマ残時間変更手段
【図１】
0003544469.tif 000002
【図２】
0003544469.tif 000003
【図３】
0003544469.tif 000004
【図４】
0003544469.tif 000005
【図５】
0003544469.tif 000006
【図６】
0003544469.tif 000007
【図７】
0003544469.tif 000008
【図８】
0003544469.tif 000009
【図９】
0003544469.tif 000010